(57)【要約】【課題】配線が断線した場合に、誤って二次電池が正常であると判定してしまうおそれを低減する。【解決手段】電圧異常判定部１２２と、通知信号生成部１２１と、電池ブロック１０６の異常の有無を判定する制御部１０１と、各通知信号生成部１２１からの通知信号を論理和した合成通知信号１１１を出力するＯＲ回路１０３とを備え、各通知信号生成部１２１は、異常がないときは、設定周期で第１パルス幅のパルスを含む通知信号１０５を生成し、異常があるときは、通知信号１０５におけるパルス幅を第１パルス幅とは異なる第２パルス幅に設定して通知信号１０５を生成し、制御部１０１は、合成通知信号１１１に含まれるパルスのパルス幅が、第１パルス幅であるとき電池ブロック１０６には異常がないと判定し、通知信号１０５に第１パルス幅とは異なるパルス幅のパルスが含まれているとき電池ブロック１０６に異常が生じていると判定するようにした。【選択図】図１
2011247760.tif 000002
【特許請求の範囲】
【請求項１】
複数の二次電池に各々対応して異常を検出する複数の異常検出部と、
前記複数の異常検出部とそれぞれ対応して設けられ、前記複数の異常検出部による前記異常の検出の有無を示す通知信号をそれぞれ生成して出力する複数の通知信号生成部と、
前記複数の通知信号生成部からのそれぞれの通知信号を論理和した信号を出力する論理和演算部と、
前記論理和演算部から出力された前記論理和された信号に基づき、前記二次電池の異常の有無を判定する制御部とを備え、
前記各通知信号生成部は、
対応する前記異常検出部が異常を検出していないときは、相互に同期したタイミングにおいて予め設定された設定周期で、予め設定された第１パルス幅のパルスを含む信号を前記通知信号として生成し、
前記対応する異常検出部が異常を検出したときは、前記通知信号における前記パルスのパルス幅を、前記第１パルス幅とは異なる第２パルス幅に設定して前記通知信号を生成し、
前記制御部は、
前記論理和された信号に含まれる前記パルスのパルス幅が、前記第１パルス幅であるとき前記複数の二次電池には異常がないと判定し、前記論理和された信号に、前記第１パルス幅と異なるパルス幅のパルスが含まれているとき前記二次電池の少なくとも一つに異常が生じていると判定すること
を特徴とする異常検出回路。
【請求項２】
複数の二次電池に各々対応して異常を検出する複数の異常検出部と、
前記複数の異常検出部とそれぞれ対応して設けられ、前記複数の異常検出部による前記異常の検出の有無を示す通知信号をそれぞれ生成して出力する複数の通知信号生成部と、
前記複数の通知信号生成部からのそれぞれの通知信号を論理和した信号を出力する論理和演算部と、
前記論理和演算部から出力された前記論理和された信号に基づき、前記二次電池の異常の有無を判定する制御部とを備え、
前記各通知信号生成部は、
相互に同期したタイミングにおいて予め設定された設定周期で、予め設定された基準パルスを含む信号を前記通知信号として生成し、
対応する前記異常検出部が異常を検出したとき、前記基準パルスに加えて、異常を示す異常パルスを、前記基準パルスとは異なるタイミングで前記通知信号に含ませ、
前記制御部は、前記論理和された信号に前記基準パルスが含まれ、かつ前記異常パルスが含まれないとき前記二次電池には異常がないと判定し、前記論理和された信号に、前記基準パルスと前記異常パルスとが含まれているとき前記二次電池のいずれかに異常が生じていると判定すること
を特徴とする異常検出回路。
【請求項３】
前記各通知信号生成部は、
当該各通知信号生成部にそれぞれ対応して予め設定された、互いに異なるタイミングで前記異常パルスを前記通知信号に含ませ、
前記制御部は、
前記論理和された信号に、前記異常パルスが含まれていたとき、当該異常パルスが含まれていたタイミングが設定された通信信号生成部と対応する前記異常検出部と対応する二次電池に異常が生じていると判定すること
を特徴とする請求項２記載の異常検出回路。
【請求項４】
前記各通知信号生成部は、
互いに異なるタイミングで前記異常パルスを前記通知信号に含ませ、
前記制御部は、
前記論理和された信号に、前記異常パルスが含まれていたとき、前記基準パルスとその次の基準パルスとの間に含まれる異常パルスの数を、異常が生じている二次電池の数として計数すること
を特徴とする請求項２又は３記載の異常検出回路。
【請求項５】
前記制御部は、
前記通知信号に、パルスが含まれないとき、何らかの異常が生じていると判定すること
を特徴とする請求項１〜４のいずれか１項に記載の異常検出回路。
【請求項６】
前記制御部は、前記論理和された信号に、前記設定周期を超える期間、パルスが含まれていなかったとき、前記複数の通知信号生成部及び当該複数の通知信号生成部から前記制御部に至る信号経路のうち少なくとも一部に、異常が生じていると判定すること
を特徴とする請求項５記載の異常検出回路。
【請求項７】
前記第１パルス幅のパルスを前記設定周期で繰り返す基準信号を生成する基準信号生成部をさらに備え、
前記複数の通知信号生成部は、
前記基準信号生成部によって生成された前記基準信号に基づき前記通知信号を生成することで、各々が出力する前記通知信号におけるパルスを、相互に同期させること
を特徴とする請求項１記載の異常検出回路。
【請求項８】
前記基準パルスを前記設定周期で繰り返す基準信号を生成する基準信号生成部をさらに備え、
前記複数の通知信号生成部は、
前記基準信号生成部によって生成された前記基準信号に基づき前記通知信号を生成することで、各々が出力する前記通知信号における前記基準パルスを、相互に同期させること
を特徴とする請求項２〜４のいずれか１項に記載の異常検出回路。
【請求項９】
請求項１〜８のいずれか１項に記載の異常検出回路と、
前記二次電池と
を備えることを特徴とする電源装置。
【発明の詳細な説明】
【技術分野】
【０００１】
本発明は、二次電池の異常を検出する異常検出回路、およびこれを備えた電源装置に関する。
【背景技術】
【０００２】
次世代のエコカーとして、電気自動車とハイブリッド自動車とが注目されている。そして、このようなエコカーの電源として用いられる二次電池の技術開発が進んでいる。自動車の性能を左右するとも考えられる二次電池の性能の向上が日々追求されている。
【０００３】
また、二次電池の性能の向上と共に、二次電池に要求される信頼性水準も高まっている。そのため、セルの電圧を検出し、その電圧が異常値になったとき、その異常発生を示す信号を制御装置へ送信するようにした電源装置が知られている（例えば、特許文献１参照）。
【先行技術文献】
【特許文献】
【０００４】
【特許文献１】特開２００３−２９７４０７号公報
【発明の概要】
【発明が解決しようとする課題】
【０００５】
ところで、特許文献１に記載の技術では、異常が生じていないときは、異常発生を示す信号が送信されない。そのため、異常発生を示す信号を送信する出力回路と制御装置との間の配線が断線してしまうと、例え異常が発生しても異常発生を示す信号が制御装置へ伝達されない。そのため、制御装置では、正常時と区別することができない。その結果、制御装置では、セル電圧判定ユニットと制御装置との間の配線が断線すると、セルが正常であると判定してしまうという、不都合があった。
【０００６】
本発明の目的は、二次電池の異常発生を示す信号を出力する出力回路と制御部との間の配線が断線した場合であっても、誤って二次電池が正常であると判定してしまうおそれを低減することができる異常検出回路、及び電源装置を提供することである。
【課題を解決するための手段】
【０００７】
本発明に係る異常検出回路は、複数の二次電池に各々対応して異常を検出する複数の異常検出部と、前記複数の異常検出部とそれぞれ対応して設けられ、前記複数の異常検出部による前記異常の検出の有無を示す通知信号をそれぞれ生成して出力する複数の通知信号生成部と、前記複数の通知信号生成部からのそれぞれの通知信号を論理和した信号を出力する論理和演算部と、前記論理和演算部から出力された前記論理和された信号に基づき、前記二次電池の異常の有無を判定する制御部とを備え、前記各通知信号生成部は、対応する前記異常検出部が異常を検出していないときは、相互に同期したタイミングにおいて予め設定された設定周期で、予め設定された第１パルス幅のパルスを含む信号を前記通知信号として生成し、前記対応する異常検出部が異常を検出したときは、前記通知信号における前記パルスのパルス幅を、前記第１パルス幅とは異なる第２パルス幅に設定して前記通知信号を生成し、前記制御部は、前記論理和された信号に含まれる前記パルスのパルス幅が、前記第１パルス幅であるとき前記複数の二次電池には異常がないと判定し、前記論理和された信号に、前記第１パルス幅と異なるパルス幅のパルスが含まれているとき前記二次電池の少なくとも一つに異常が生じていると判定する。
【０００８】
この構成によれば、通知信号生成部は、異常検出部が異常を検出していないときは、予め設定された設定周期で、予め設定された第１パルス幅のパルスを含む信号を通知信号として生成して出力する。また、通知信号生成部は、異常検出部が異常を検出したときは、通知信号におけるパルス幅を、第１パルス幅とは異なる第２パルス幅に設定して前記通知信号を生成して出力するから、二次電池に異常があってもなくても通知信号としてパルスが出力される。そして、各二次電池における異常の有無を示す信号が、一つの通知信号に合成されて制御部へ出力されるので、論理和演算部と制御部との間に、通知信号生成部の数だけ配線する必要がない。これにより、省配線化を図ることができる。
【０００９】
そして、制御部によって、通知信号に含まれるパルスのパルス幅が第１パルス幅であれば、二次電池には異常がないと判定される。また、通知信号に、第１パルス幅と異なるパルス幅のパルスが含まれているとき、制御部によって、二次電池に異常が生じていると判定される。これにより、二次電池の異常を特定できる。
【００１０】
さらに、複数の通知信号を論理和するにあたって、もし各通知信号に含まれるパルスのタイミングが同期していなければ、単純に論理和して信号を合成してしまうと、合成されたパルス幅は第１パルス幅とも第２パルス幅とも異なるものになってしまい、異常の有無を正しく示さなくなってしまう。しかしながら、この構成によれば、各通知信号生成部は、パルスを、相互に同期したタイミングで出力することで、単純に論理和しただけで、異常の有無を正しく示す信号を合成後の通知信号として生成することが可能となる。これにより、複数の通知信号を単純に論理和するだけの論理和演算部を用いて、複数の通知信号を合成することができるので、簡素な構成で、複数の通知信号を合成することができる。
【００１１】
また、本発明に係る異常検出回路は、複数の二次電池に各々対応して異常を検出する複数の異常検出部と、前記複数の異常検出部とそれぞれ対応して設けられ、前記複数の異常検出部による前記異常の検出の有無を示す通知信号をそれぞれ生成して出力する複数の通知信号生成部と、前記複数の通知信号生成部からのそれぞれの通知信号を論理和した信号を出力する論理和演算部と、前記論理和演算部から出力された前記論理和された信号に基づき、前記二次電池の異常の有無を判定する制御部とを備え、前記各通知信号生成部は、相互に同期したタイミングにおいて予め設定された設定周期で、予め設定された基準パルスを含む信号を前記通知信号として生成し、対応する前記異常検出部が異常を検出したとき、前記基準パルスに加えて、異常を示す異常パルスを、前記基準パルスとは異なるタイミングで前記通知信号に含ませ、前記制御部は、前記論理和された信号に前記基準パルスが含まれ、かつ前記異常パルスが含まれないとき前記二次電池には異常がないと判定し、前記論理和された信号に、前記基準パルスと前記異常パルスとが含まれているとき前記二次電池のいずれかに異常が生じていると判定する。
【００１２】
この構成によれば、通知信号生成部は、異常検出部が異常を検出していないときは、予め設定された設定周期で、予め設定された基準パルスを含む信号を通知信号として生成して出力する。また、通知信号生成部は、異常検出部が異常を検出したときは、通知信号における基準パルスに加えて異常パルスを加えて前記通知信号を生成して出力するから、二次電池に異常があってもなくても通知信号としてパルスが出力される。そして、各二次電池における異常の有無を示す信号が、一つの通知信号に合成されて制御部へ出力されるので、論理和演算部と制御部との間に、通知信号生成部の数だけ配線する必要がない。これにより、省配線化を図ることができる。
【００１３】
そして、複数の通知信号を論理和するにあたって、もし各通知信号に含まれる基準パルスのタイミングが同期していなければ、単純に論理和して信号を合成してしまうと、合成後の信号において、各通知信号生成部から出力された基準パルスがバラバラのタイミングで含まれてしまい、基準パルスと異常パルスとを判別することができなくなってしまう。しかしながら、この構成によれば、各通知信号生成部は、基準パルスを、相互に同期したタイミングで出力することで、単純に論理和しただけで、基準パルスと異常パルスとを判別可能に通知信号を合成することが可能となる。これにより、複数の通知信号を単純に論理和するだけの論理和演算部を用いて、複数の通知信号を合成することができるので、簡素な構成で、複数の通知信号を合成することができる。
【００１４】
また、前記各通知信号生成部は、当該各通知信号生成部にそれぞれ対応して予め設定された、互いに異なるタイミングで前記異常パルスを前記通知信号に含ませ、前記制御部は、前記論理和された信号に、前記異常パルスが含まれていたとき、当該異常パルスが含まれていたタイミングが設定された通信信号生成部と対応する前記異常検出部と対応する二次電池に異常が生じていると判定することが好ましい。
【００１５】
この構成によれば、各通知信号生成部が出力する異常パルスのタイミングが、予め互いに異なるタイミングに設定されている。そして、制御部は、論理和された信号に異常パルスが含まれていたとき、当該異常パルスが含まれていたタイミングが設定された通信信号生成部と対応する異常検出部と対応する二次電池に異常が生じていると判定する。これにより、複数の二次電池のうち、異常が生じた二次電池を特定することができる。
【００１６】
また、前記各通知信号生成部は、互いに異なるタイミングで前記異常パルスを前記通知信号に含ませ、前記制御部は、前記論理和された信号に、前記異常パルスが含まれていたとき、前記基準パルスとその次の基準パルスとの間に含まれる異常パルスの数を、異常が生じている二次電池の数として計数することが好ましい。
【００１７】
この構成によれば、各通知信号生成部が、互いに異なるタイミングで異常パルスを通知信号に含ませるから、論理和された信号において、異常パルスが重複しない。そこで、制御部は、論理和された信号に異常パルスが含まれていたとき、基準パルスとその次の基準パルスとの間に含まれる異常パルスの数を、異常が生じている二次電池の数として計数することができる。
【００１８】
また、前記制御部は、前記通知信号に、パルスが含まれないとき、何らかの異常が生じていると判定することが好ましい。
【００１９】
この構成によれば、例えば通知信号生成部から制御部に至る信号経路に断線が生じたり、通知信号生成部が故障したりするなどして通知信号にパルスが含まれなくなったときは、制御部によって、何らかの異常が生じていると判定される。従って、二次電池の異常発生を示す信号を出力する出力回路と制御部との間の配線が断線した場合であっても、誤って二次電池が正常であると判定してしまうことなく、何らかの異常が生じていると判定することができる。
【００２０】
また、前記制御部は、前記通知信号に、前記設定周期を超える期間、パルスが含まれていなかったとき、前記通知信号生成部及び当該通知信号生成部から前記制御部に至る信号経路のうち少なくとも一部に、異常が生じていると判定することが好ましい。
【００２１】
この構成によれば、通知信号生成部は、二次電池に異常があってもなくても通知信号として、設定周期でパルスを出力するから、通知信号生成部及び当該通知信号生成部から制御部に至る信号経路が正常であれば、設定周期を超える期間、通知信号にパルスが含まれない状態が継続することは、ほとんどないと考えられる。そこで、制御部は、通知信号に、設定周期を超える期間、パルスが含まれていなかったとき、通知信号生成部及び当該通知信号生成部から制御部に至る信号経路のうち少なくとも一部に、異常が生じていると判定する。これにより、信号経路の断線を検出することが可能となる。
【００２２】
また、前記第１パルス幅のパルスを前記設定周期で繰り返す基準信号を生成する基準信号生成部をさらに備え、前記複数の通知信号生成部は、前記基準信号生成部によって生成された前記基準信号に基づき前記通知信号を生成することで、各々が出力する前記通知信号におけるパルスを、相互に同期させることが好ましい。
【００２３】
この構成によれば、複数の通知信号生成部から出力される各通知信号は、すべて、同一の基準信号に基づき生成されるので、各通知信号のタイミングを同期させることが容易である。
【００２４】
また、前記基準パルスを前記設定周期で繰り返す基準信号を生成する基準信号生成部をさらに備え、前記複数の通知信号生成部は、前記基準信号生成部によって生成された前記基準信号に基づき前記通知信号を生成することで、各々が出力する前記通知信号における前記基準パルスを、相互に同期させることが好ましい。
【００２５】
この構成によれば、複数の通知信号生成部から出力される各通知信号は、すべて、同一の基準信号に基づき生成されるので、各通知信号における基準パルスのタイミングを同期させることが容易である。
【００２６】
また、本発明に係る電源装置は、上述の異常検出回路と、前記二次電池とを備える。
【００２７】
この構成によれば、二次電池を用いた電源装置において、二次電池の異常を検出できると共に、二次電池の異常発生を示す信号を出力する出力回路と制御部との間の配線が断線した場合であっても、誤って二次電池が正常であると判定してしまうおそれを低減することができる。
【発明の効果】
【００２８】
このような構成の異常検出回路、及び電源装置は、二次電池の異常発生を示す信号を出力する出力回路と制御部との間の配線が断線した場合であっても、誤って二次電池が正常であると判定してしまうおそれを低減することができる。
【図面の簡単な説明】
【００２９】
【図１】本発明の一実施形態に係る異常検出回路を備えた電源装置の構成の一例を示すブロック図である。
【図２】図１に示す電圧監視部の構成の一例を示すブロック図である。
【図３】図１に示す電圧監視部の、入力信号に対する出力信号を示した図である。
【図４】図２に示す通知信号生成部の構成の一例を示す回路図である。
【図５】図４に示す通知信号生成部の動作を説明するための信号波形図である。
【図６】図１に示す制御部の構成の一例を示す回路図である。
【図７】図６に示すカウンタの動作を説明するための信号波形図である。
【図８】図１に示す電源装置の動作の一例を示すフローチャートである。
【図９】全ての電池ブロックが、正常であった場合の基準信号と、通知信号と、合成通知信号との信号波形の一例を示す信号波形図である。
【図１０】電池ブロックの一つに異常が生じた場合における基準信号と、通知信号と、合成通知信号との信号波形の一例を示す信号波形図である。
【図１１】電池ブロックの全てに異常が生じた場合における基準信号と、通知信号と、合成通知信号との信号波形の一例を示す信号波形図である。
【発明を実施するための形態】
【００３０】
以下、本発明に係る実施形態を図面に基づいて説明する。なお、各図において同一の符号を付した構成は、同一の構成であることを示し、その説明を省略する。図１は、本発明の一実施形態に係る異常検出回路１を備えた電源装置１１３の構成の一例を示すブロック図である。
【００３１】
図１に示す電源装置１１３は、異常検出回路１と、電池ブロック１０６−１，１０６−２，１０６−３（二次電池）とを備えて構成されている。異常検出回路１は、制御部１０１、電圧監視部１０２−１，１０２−２，１０２−３（異常検知部）、ＯＲ回路１０３（論理和演算部）、入力絶縁素子１０７−１，１０７−２，１０７−３、出力絶縁素子１０８−１，１０８−２，１０８−３、及び発振器ＯＳＣを備えている。
【００３２】
電池ブロック１０６−１，１０６−２，１０６−３、電圧監視部１０２−１，１０２−２，１０２−３、入力絶縁素子１０７−１，１０７−２，１０７−３、及び出力絶縁素子１０８−１，１０８−２，１０８−３の符号における添え字（ハイフン付きの数字）は、ぞれぞれに対応する構成要素同士で同じ添え字が付されるようになっている。例えば、電池ブロック１０６−１に対応して、電圧監視部１０２−１、入力絶縁素子１０７−１、及び出力絶縁素子１０８−１が設けられている。また、後述する基準信号１０４や通知信号１０５，１０９についても、対応する電池ブロックと同じ添え字を付して記載する。
【００３３】
以下、電池ブロック１０６−１，１０６−２，１０６−３を総称するときは電池ブロック１０６と称し、電圧監視部１０２−１，１０２−２，１０２−３を総称するときは電圧監視部１０２と称し、入力絶縁素子１０７−１，１０７−２，１０７−３を総称するときは入力絶縁素子１０７と称し、出力絶縁素子１０８−１，１０８−２，１０８−３を総称するときは出力絶縁素子１０８と称し、基準信号１０４−１，１０４−２，１０４−３を総称するときは基準信号１０４と称し、通知信号１０５−１，１０５−２，１０５−３を総称するときは通知信号１０５と称し、通知信号１０９−１，１０９−２，１０９−３を総称するときは通知信号１０９と称する。また、個別の構成要素、信号を示すときは、符号に添え字を付して示す。
【００３４】
電池ブロック１０６は、複数の素電池１１２を、直列、並列、または直列と並列とを組み合わせて接続することにより構成される。素電池１１２は、二次電池、例えばリチウムイオン二次電池やニッケル水素二次電池等の二次電池セルである。
【００３５】
なお、請求項に係る二次電池の一例として、電池ブロック１０６を示したが、請求項に係る二次電池は単セルであってもよい。また、電池ブロック１０６の数（二次電池の数）も、３個に限られず、１個、２個、あるいは４個以上であってもよい。
【００３６】
入力絶縁素子１０７、及び出力絶縁素子１０８は、例えばフォトカプラを用いて構成された絶縁素子である。そして、入力絶縁素子１０７は、制御部１０１と電圧監視部１０２との間に介設されて、制御部１０１と電圧監視部１０２との間を絶縁する。また、出力絶縁素子１０８は、電圧監視部１０２とＯＲ回路１０３との間に介設されて、電圧監視部１０２とＯＲ回路１０３との間を絶縁する。
【００３７】
電圧監視部１０２−１，１０２−２，１０２−３は、それぞれ電池ブロック１０６−１，１０６−２，１０６−３の端子電圧を検出する。そして、電池ブロック１０６−１，１０６−２，１０６−３は、直列接続されているから、電圧監視部１０２−１，１０２−２，１０２−３の基準電位に互いに差が生じることになる。そのため、電圧監視部１０２−１，１０２−２，１０２−３に、直接制御部１０１やＯＲ回路１０３を接続すると、電圧監視部１０２−１，１０２−２，１０２−３相互間の電位の差によって正常に動作しなくなってしまう。
【００３８】
そこで、入力絶縁素子１０７、及び出力絶縁素子１０８によって、電圧監視部１０２と、制御部１０１やＯＲ回路１０３との間を絶縁することで、電圧監視部１０２−１，１０２−２，１０２−３相互間の電位の差が回路動作に影響しないようにされている。
【００３９】
制御部１０１は、例えば所定の演算処理を行うＣＰＵ（Central Processing Unit）と、所定の制御プログラムが記憶されたＲＯＭ（Read Only Memory）と、データを一時的に記憶するＲＡＭ（Random Access Memory）と、基準信号生成部１０１ａと、これらの周辺回路等とを備えて構成されている。なお、制御部１０１は、ＣＰＵを用いる例に限られず、例えば論理回路を組み合わせて構成されていてもよい。
【００４０】
発振器ＯＳＣは、例えばパルス幅ｔ、周期２ｔのクロック信号ＣＬＫを生成し、制御部１０１や電圧監視部１０２へ供給する。
【００４１】
基準信号生成部１０１ａは、パルス幅ｔ（第１パルス幅）のパルスを周期Ｔ（設定周期）で繰り返す周期信号を基準信号１１０として生成する。そして、基準信号生成部１０１ａは、基準信号１１０を、入力絶縁素子１０７を介して電圧監視部１０２へ出力する。
【００４２】
基準信号生成部１０１ａは、クロック信号ＣＬＫを用いて、例えばクロック信号ＣＬＫのパルスを、Ｎ回に１回の頻度で基準信号１１０として出力することで、パルス幅ｔ、周期Ｔ＝２ｔ×Ｎの基準信号１１０を出力することができる。なお、基準信号生成部１０１ａは、いわゆるクロックジェネレータを用いて構成されていてもよい。
【００４３】
また、制御部１０１は、ＯＲ回路１０３から出力される合成通知信号１１１、すなわち論理和された信号のパルス幅が、パルス幅ｔであれば、電池ブロック１０６−１，１０６−２，１０６−３には異常がないと判定する。また、制御部１０１は、合成通知信号１１１のパルス幅が、パルス幅ｔと異なるとき、例えば２ｔのとき、電池ブロック１０６−１，１０６−２，１０６−３のうち少なくとも一つに異常が生じていると判定する。
【００４４】
また、制御部１０１は、合成通知信号１１１に、周期Ｔを超える期間、パルスが含まれていなかったとき、ＯＲ回路１０３から制御部１０１に至る信号経路、及びＯＲ回路１０３のうち少なくとも一部に、異常が生じていると判定する。
【００４５】
入力絶縁素子１０７−１，１０７−２，１０７−３は、基準信号生成部１０１ａから基準信号１１０を受信し、絶縁された基準信号１０４−１，１０４−２，１０４−３として、それぞれ対応する電圧監視部１０２−１，１０２−２，１０２−３へ、出力する。
【００４６】
電圧監視部１０２は、各電池ブロック１０６の両端の端子電圧（端子間電圧）を監視する。図２は、図１に示す電圧監視部１０２−１の構成の一例を示すブロック図である。図２に示す電圧監視部１０２−１は、例えば、通知信号生成部１２１と、電圧異常判定部１２２（異常検出部）とを備えている。なお、電圧監視部１０２−２，１０２−３は、電圧監視部１０２−１と同様に構成されているのでその説明を省略する。
【００４７】
電圧監視部１０２−１における電圧異常判定部１２２は、対応する電池ブロック１０６−１の両端に接続され、その端子電圧を検出する。電圧異常判定部１２２は、例えばコンパレータを用いて構成されている。そして、電圧異常判定部１２２は、例えば検出された端子電圧が、電池ブロック１０６−１の過電圧を示す上限電圧値を超えたときや、過放電を示す下限電圧値を下回ったときに、異常を示す検知信号Ｅｒｒを、例えばハイレベルにして通知信号生成部１２１へ出力する。
【００４８】
なお、異常検出部の一例として、電池ブロック１０６の電圧の異常を検出する電圧異常判定部１２２を示したが、異常検出部は、例えば電池ブロック１０６に流れる電流の異常や、電池ブロック１０６の温度の異常を検出することで、電池ブロック１０６の異常を検出するものであってもよい。
【００４９】
通知信号生成部１２１は、電圧異常判定部１２２が異常を検出していないとき、例えば検知信号Ｅｒｒがローレベルのとき、基準信号１０４−１をそのまま通知信号１０５−１として出力絶縁素子１０８−１へ出力する。また、通知信号生成部１２１は、電圧異常判定部１２２が異常を検出したとき、例えば検知信号Ｅｒｒがハイレベルのとき、基準信号１０４−１のパルス幅を例えば延長してパルス幅を異ならせることで、通知信号１０５−１として出力絶縁素子１０８−１へ出力する。
【００５０】
図３は、図１に示す電圧監視部１０２−１の、入力信号に対する出力信号を示した図である。なお、電圧監視部１０２−２、電圧監視部１０２−３についても同様である。ここで、基準信号１０４−１は、パルス幅ｔ、周期Ｔのパルス信号である。電圧監視部１０２−１は、電池ブロック１０６−１の電圧が正常か異常かにより異なった信号を出力する。
【００５１】
電圧監視部１０２−１は、電池ブロック１０６−１の電圧の正常時には、基準信号１０４−１と同じパルス幅ｔ、周期Ｔのパルス信号を通知信号１０５−１として出力し、過放電・過電圧等の異常時には、基準信号１０４−１と異なるパルス幅２ｔ、周期Ｔのパルス信号を通知信号１０５−１として出力する。
【００５２】
図４は、図２に示す通知信号生成部１２１の構成の一例を示す回路図である。図４に示す通知信号生成部１２１は、マルチプレクサＭＵＸと、フリップフロップＦＦ１と、論理ゲートＡ１とから構成されている。
【００５３】
そして、基準信号１０４が、フリップフロップＦＦ１のセット端子に入力されている。論理ゲートＡ１は、基準信号１０４を反転させた信号と、クロック信号ＣＬＫとを論理積してフリップフロップＦＦ１のリセット端子へ出力する。
【００５４】
マルチプレクサＭＵＸは、検知信号Ｅｒｒに応じて、基準信号１０４とフリップフロップＦＦ１の出力信号ＦＦｏｕｔとのうち一方を選択し、通知信号１０５として出力する。
【００５５】
図５は、図４に示す通知信号生成部１２１の動作を説明するための信号波形図である。基準信号１０４は、基準信号生成部１０１ａから出力された基準信号１１０が、入力絶縁素子１０７によって絶縁されたものであるから、信号波形は基準信号１１０と同じである。そして、基準信号１１０は、クロック信号ＣＬＫのパルスをＮ回に１回、出力したものであるから、基準信号１０４のパルスは、クロック信号ＣＬＫと同期して出力されている。
【００５６】
そうすると、フリップフロップＦＦ１は、基準信号１０４の立上りでセットされ、その次のクロック信号ＣＬＫの立上りでリセットされる。その結果、出力信号ＦＦｏｕｔは、パルス幅が２ｔ、周期がＴの信号、すなわち電圧異常判定部１２２が異常を検出したことを示す信号波形になっている。
【００５７】
そして、電池ブロック１０６の異常が検出されておらず、検知信号Ｅｒｒがローレベルのときは、マルチプレクサＭＵＸによって基準信号１０４が選択されて、基準信号１０４がそのまま通知信号１０５として出力される。一方、マルチプレクサＭＵＸは、検知信号Ｅｒｒがハイレベル、即ち電池ブロック１０６の異常が検出されたときは、出力信号ＦＦｏｕｔ、すなわち電圧異常判定部１２２が異常を検出したことを示す信号を選択し、通知信号１０５として出力する。
【００５８】
このようにして、図３に示す通知信号１０５−１（１０５−２，１０５−３）、及び、通知信号１０５−１、１０５−２，１０５−３が出力絶縁素子１０８−１，１０８−２，１０８−３によって絶縁されて得られる通知信号１０９−１（１０９−２，１０９−３）が生成される。
【００５９】
なお、異常時に、正常時の２倍のパルス幅２ｔの通知信号１０５が得られる例を示したが、異常時と正常時とで、通知信号１０５のパルス幅が異なっていればよく、２倍のパルス幅に限定されない。また、異常時に、正常時よりも通知信号１０５のパルス幅が長くなる例を示したが、異常時に、正常時よりも通知信号１０５のパルス幅が短くなるようにしてもよい。
【００６０】
このようにして、電圧監視部１０２−１，１０２−２，１０２−３によって、それぞれ出力された通知信号１０５−１，１０５−２，１０５−３が、出力絶縁素子１０８−１，１０８−２，１０８−３によってそれぞれ絶縁されて、通知信号１０９−１，１０９−２，１０９−３としてＯＲ回路１０３へ出力される。
【００６１】
ＯＲ回路１０３は、通知信号１０９−１，１０９−２，１０９−３を論理和して合成し、合成通知信号１１１として制御部１０１へ送信する。制御部１０１は、合成通知信号１１１に基づき、電池ブロック１０６−１，１０６−２，１０６−３のいずれかの電圧異常の有無、あるいは断線やＯＲ回路１０３の故障の有無を認知する。
【００６２】
図６は、図１に示す制御部１０１の構成の一例を示す回路図である。図６においては、基準信号生成部１０１ａの記載は省略している。図６に示す制御部１０１は、例えば排他的論理和ゲートＥＯＲと、フリップフロップＦＦ２と、カウンタＣＴとを備えて構成されている。
【００６３】
排他的論理和ゲートＥＯＲは、基準信号１１０と合成通知信号１１１とを排他的論理和して得られた信号を、フリップフロップＦＦ２のクロック端子へ出力する。フリップフロップＦＦ２は、排他的論理和ゲートＥＯＲの出力信号が立ち上がると、電池ブロック１０６−１，１０６−２，１０６−３のうち少なくとも一つで異常が生じたことを示す電池異常検知信号Ｅｂをハイレベルにしてラッチする。
【００６４】
カウンタＣＴは、クロック信号ＣＬＫの立上りエッジをカウントし、カウント値がＮになると、カウントアップ信号をハイレベルにしてエラー信号Ｅｗとして出力する。Ｎは、基準信号生成部１０１ａがクロック信号ＣＬＫのパルスを、Ｎ回に１回の頻度で基準信号１１０として出力するときの、そのＮであり、クロック信号ＣＬＫの周期を２ｔとしたときに、Ｔ＝２ｔ×Ｎとなる。
【００６５】
また、カウンタＣＴは、合成通知信号１１１がハイレベルになると、リセットされるようになっている。
【００６６】
図７は、図６に示すカウンタＣＴの動作を説明するための信号波形図である。図７では、Ｎ＝３の場合を示している。まず、電圧監視部１０２やＯＲ回路１０３が正常に動作し、断線も生じていなければ、ＯＲ回路１０３から、周期Ｔで合成通知信号１１１のパルス信号が出力される。そうすると、合成通知信号１１１のパルスによってカウンタＣＴがリセットされて、このパルスと同期するクロック信号ＣＬＫのパルスはカウントされない。
【００６７】
そして、合成通知信号１１１がローレベルになった後、クロック信号ＣＬＫのパルスがカウンタＣＴによってカウントされる。しかしながら、そのカウント値がＮ（３）になるときは、再び合成通知信号１１１のパルス信号がハイレベルになって、カウンタＣＴがリセットされる。
【００６８】
従って、電圧監視部１０２やＯＲ回路１０３が正常に動作し、断線も生じていなければ、カウンタＣＴはカウントアップすることなく、エラー信号Ｅｗは、ローレベルのままとなる。
【００６９】
一方、ＯＲ回路１０３が故障したり、ＯＲ回路１０３から制御部１０１に至る信号経路が断線したりすると、合成通知信号１１１によってカウンタＣＴがリセットされなくなるため、カウンタＣＴはクロック信号ＣＬＫのパルスをカウントし続ける。そうすると、カウント値がＮ（３）になって、カウンタＣＴがカウントアップし、エラー信号Ｅｗがハイレベルにされて出力される。これにより、ＯＲ回路１０３が故障したり、ＯＲ回路１０３から制御部１０１に至る信号経路が断線したりする異常の発生を、検出することができる。
【００７０】
次に、図８、図９、図１０を用いて、図１に示す電源装置１１３の動作について説明する。図８は、図１に示す電源装置１１３の動作の一例を示すフローチャートである。
【００７１】
まず、基準信号生成部１０１ａから、基準信号１１０が出力される（ステップＳ１）。基準信号１１０は、入力絶縁素子１０７−１、１０７−２、１０７−３を介して電圧監視部１０２−１，１０２−２，１０２−３へ入力される（ステップＳ２）。入力絶縁素子１０７−１、１０７−２、１０７−３を、基準信号生成部１０１ａと電圧監視部１０２との間に挟むことで、電圧監視部１０２−１，１０２−２，１０２−３にそれぞれ入力される信号の電位を等しくすることができる。
【００７２】
電圧監視部１０２−１，１０２−２，１０２−３は、電池ブロック１０６−１，１０６−２，１０６−３の電圧の異常判定を実行する（ステップＳ３）。そして、電池ブロック１０６−１，１０６−２，１０６−３の電圧が正常であるときは（ステップＳ３でＹＥＳ）、電圧監視部１０２−１，１０２−２，１０２−３は、基準信号１０４−１，１０４−２，１０４−３と同じパルス幅の信号を通知信号１０５−１，１０５−２，１０５−３として出力する（ステップＳ４）。
【００７３】
その一方、過放電・過電圧等の異常時には（ステップＳ３でＮＯ）、電圧監視部１０２−１，１０２−２，１０２−３は、基準信号１０４−１，１０４−２，１０４−３の２倍のパルス幅の信号を通知信号１０５−１，１０５−２，１０５−３として出力する（ステップＳ５）。
【００７４】
通知信号１０５−１，１０５−２，１０５−３は、出力絶縁素子１０８−１，１０８−２，１０８−３を介してＯＲ回路１０３に入力され、ＯＲ回路１０３によって論理和されて、合成される（ステップＳ６）。
【００７５】
図９は、全ての電池ブロック１０６−１，１０６−２，１０６−３が、正常であった場合の基準信号１０４すなわち基準信号１１０と、通知信号１０５−１，１０５−２，１０５−３すなわち通知信号１０９−１，１０９−２，１０９−３と、合成通知信号１１１との信号波形の一例を示す信号波形図である。また、図１０は、例えば電池ブロック１０６−２に異常が生じた場合における基準信号１０４（基準信号１１０）と、通知信号１０５−１，１０５−２，１０５−３すなわち通知信号１０９−１，１０９−２，１０９−３と、合成通知信号１１１との信号波形の一例を示す信号波形図である。
【００７６】
まず、全ての電池ブロック１０６−１，１０６−２，１０６−３が、正常であった場合、図９に示すように、通知信号１０９−１，１０９−２，１０９−３は、全てパルス幅ｔ、周期Ｔのパルス信号にされている。
【００７７】
そして、通知信号１０９−１，１０９−２，１０９−３は、基準信号１０４すなわち基準信号１１０に基づき生成されているので、パルスのタイミングが同期している。これにより、通知信号１０９−１，１０９−２，１０９−３が論理和されて得られた合成通知信号１１１もまた、パルス幅ｔ、周期Ｔのパルス信号となる。
【００７８】
もし仮に、通知信号１０９−１，１０９−２，１０９−３のパルスが同期しておらず、パルスのタイミングが勝手なタイミングでバラついていると、これらが論理和された合成通知信号１１１のパルス幅が、パルス幅ｔより長くなってしまうおそれがある。そして、合成通知信号１１１のパルス幅が、パルス幅ｔより長くなってしまうと、制御部１０１において、電池異常が生じていると誤認識され、すなわち電池異常検知信号Ｅｂがハイレベルになるおそれがある。
【００７９】
しかしながら、図１に示す異常検出回路１では、通知信号１０９−１，１０９−２，１０９−３のパルスタイミングが、基準信号１０４に基づき生成され、同期されているので、図９に示すように、通知信号１０９−１，１０９−２，１０９−３が全てパルス幅ｔ、周期Ｔのパルス信号であるとき、すなわち電池ブロック１０６−１，１０６−２，１０６−３のいずれもが正常であるときは、合成通知信号１１１もまた、パルス幅ｔ、周期Ｔのパルス信号となる。これにより、制御部１０１が誤って電池異常が生じていると誤認識しないようにされている。
【００８０】
そして、このようにして通知信号１０９−１，１０９−２，１０９−３が同期されていることで、ＯＲ回路１０３が、通知信号１０９−１，１０９−２，１０９−３を合成して一つの合成通知信号１１１に取りまとめることで、通知信号１０９−１，１０９−２，１０９−３を、個別に制御部１０１へ送信する場合と比べて配線数を減らすことができる。
【００８１】
特に、電源装置１１３を、例えば電気自動車やハイブリッド自動車等の車輌用電源として用いた場合には、制御部１０１を、ＥＣＵ（Electronic Control Unit）として構成する場合がある。そのような場合、制御部１０１（ＥＣＵ）と電圧監視部１０２との間が、１ｍ以上離れてしまうときがある。そうすると、制御部１０１（ＥＣＵ）と電圧監視部１０２との間は１ｍを超える長い配線で接続されることとなり、このような長い配線で接続される部分が省配線されることの効果は大きい。
【００８２】
なお、通知信号１０９−１，１０９−２，１０９−３は、パルスのタイミングが同期されていればよく、同期させる方法は、基準信号１０４を用いる方法に限定されない。
【００８３】
次に、例えば電池ブロック１０６−２のみに異常が生じた場合、図１０に示すように、通知信号１０５−２すなわち通知信号１０９−２のみ、パルス幅が２ｔになっており、他の通知信号１０９−１，１０９−３のパルス幅はｔである。
【００８４】
このような通知信号１０９−１，１０９−２，１０９−３が、ＯＲ回路１０３によって論理和されると、図１０に示すように、パルス幅２ｔ、周期Ｔの合成通知信号１１１が得られる。このように、ＯＲ回路１０３によれば、電池ブロック１０６−１，１０６−２，１０６−３のうち少なくとも一つで異常が生じ、通知信号１０９−１，１０９−２，１０９−３のうち少なくとも一つのパルス幅が、正常時のパルス幅ｔと異なるパルス幅、例えば２ｔになれば、合成通知信号１１１のパルス幅も、正常時のパルス幅ｔと異なるパルス幅、例えば２ｔになる。
【００８５】
これにより、電池ブロック１０６−１，１０６−２，１０６−３の全てが正常であるときのみ、合成通知信号１１１がパルス幅ｔ、周期Ｔのパルス信号となり、電池ブロック１０６−１，１０６−２，１０６−３のうち一つでも異常となれば、合成通知信号１１１がパルス幅２ｔ、周期Ｔのパルス信号となる。
【００８６】
このようにして得られた合成通知信号１１１が、ＯＲ回路１０３から制御部１０１へ出力され、制御部１０１によって受信される。そして、制御部１０１は、合成通知信号１１１に基づいて、電池ブロック１０６−１，１０６−２，１０６−３の電圧異常の有無、及び断線やＯＲ回路１０３の異常の有無を認知する（ステップＳ７）。
【００８７】
具体的には、図９に示す合成通知信号１１１が、図６に示す制御部１０１に入力されると、基準信号１１０と合成通知信号１１１とが排他的論理和ゲートＥＯＲによって、排他的論理和される。そうすると、電池ブロック１０６−１，１０６−２，１０６−３の全てが正常であるときは、基準信号１１０と合成通知信号１１１とは信号波形が等しいから、排他的論理和ゲートＥＯＲの出力信号は、ローレベルのままとなる。
【００８８】
そうすると、フリップフロップＦＦ２の出力、すなわち電池異常検知信号Ｅｂがローレベルのまま維持されて、電池ブロック１０６−１，１０６−２，１０６−３の全てが正常であると判定されたことになる。
【００８９】
一方、電池ブロック１０６−１，１０６−２，１０６−３のうち少なくとも一つが異常になると、図１０に示すように、合成通知信号１１１のパルス幅が２ｔとなり、基準信号１１０のパルス幅と差異が生じる。そうすると、合成通知信号１１１と基準信号１１０とで信号レベルが異なったとき、すなわち合成通知信号１１１がハイレベルで基準信号１１０がローレベルになったとき、排他的論理和ゲートＥＯＲの出力信号がハイレベルになって、その立上りエッジでフリップフロップＦＦ２がハイレベルにラッチされ、フリップフロップＦＦ２の出力信号、すなわち電池異常検知信号Ｅｂがハイレベルになる。
【００９０】
これによって、電池ブロック１０６−１，１０６−２，１０６−３のうち少なくとも一つが異常になったと判定されたことになる。
【００９１】
なお、制御部１０１は、合成通知信号１１１と基準信号１１０とを比較することにより、合成通知信号１１１のパルスのパルス幅がパルス幅ｔであるか否かを判定する例を示したが、基準信号１１０を用いず、合成通知信号１１１のパルスのパルス幅を計測することで、当該パルス幅がパルス幅ｔであるか否かを判定するようにしてもむろんよい。
【００９２】
また、制御部１０１は、ＯＲ回路１０３から出力される合成通知信号１１１のパルス幅が、パルス幅ｔであれば、電池ブロック１０６−１，１０６−２，１０６−３には異常がないと判定する。また、制御部１０１は、合成通知信号１１１のパルス幅が、パルス幅ｔと異なるとき、例えば２ｔのとき、電池ブロック１０６−１，１０６−２，１０６−３のうち少なくとも一つに異常が生じていると判定する。
【００９３】
このようにして、電圧監視部１０２−１，１０２−２，１０２−３による通知信号１０９−１，１０９−２，１０９−３をＯＲ回路１０３で合成して、合成通知信号１１１として制御部１０１へ送信することで、省配線を図りつつ、電池ブロック１０６−１，１０６−２，１０６−３のうち少なくとも一つで異常が生じたことを、制御部１０１において検知できるようになっている。
【００９４】
また、ＯＲ回路１０３の故障や、ＯＲ回路１０３と制御部１０１との間で断線が生じて合成通知信号１１１のパルスが制御部１０１で得られなくなったときは、上述したように、カウンタＣＴがカウントアップすることで、エラー信号Ｅｗがハイレベルになることで、ＯＲ回路１０３の故障、あるいはＯＲ回路１０３と制御部１０１との間で断線が生じていることを、制御部１０１で検知することができるようになっている。
【００９５】
ここで、上述したように、電源装置１１３を、例えば電気自動車やハイブリッド自動車等の車輌用電源として用いた場合には、制御部１０１（ＥＣＵ）とＯＲ回路１０３との間は１ｍを超える長い配線で接続される場合があるので、この配線部分の断線を検出できるメリットは大きい。
【００９６】
なお、ＯＲ回路１０３が故障したり、ＯＲ回路１０３から制御部１０１に至る信号経路が断線したりして合成通知信号１１１がローレベルのままになった場合にも、合成通知信号１１１には基準信号１１０と同じパルス幅ｔのパルスは含まれないから、排他的論理和ゲートＥＯＲの出力信号はハイレベルとなって、電池異常検知信号Ｅｂがハイレベルになる。
【００９７】
しかしながら、このときは、上述したように、カウンタＣＴがカウントアップすることで、エラー信号Ｅｗもハイレベルになるので、電池異常検知信号Ｅｂ及びエラー信号Ｅｗがハイレベルになったときは、ＯＲ回路１０３の故障、あるいはＯＲ回路１０３と制御部１０１との間で断線が生じていると、判定できる。
【００９８】
なお、制御部１０１は、必ずしもカウンタＣＴを備えていなくてもよく、合成通知信号１１１に、周期Ｔを超える期間、パルスが含まれていなかったときにＯＲ回路１０３から制御部１０１に至る信号経路、及びＯＲ回路１０３のうち少なくとも一部に異常が生じていると判定しなくてもよい。
【００９９】
例えば図６に示す制御部１０１において、カウンタＣＴを備えていない場合、電池ブロック１０６−１，１０６−２，１０６−３のうち少なくとも一つで異常が生じた場合のみならず、ＯＲ回路１０３の故障、あるいはＯＲ回路１０３と制御部１０１との間で断線が生じた場合にも、電池異常検知信号Ｅｂがハイレベルになるから、電池異常検知信号Ｅｂがハイレベルになることで、電池ブロック１０６やＯＲ回路１０３の異常、あるいは配線の断線など、何らかの異常が発生していると判断できる。
【０１００】
このように、カウンタＣＴを備えていない場合においても、例えば断線によって合成通知信号１１１がローレベルになっても、特許文献１に記載の技術のように、誤って電池ブロック１０６−１，１０６−２，１０６−３が正常であると判定してしまうことがない。
【０１０１】
また、電圧監視部が一つの場合、ＯＲ回路１０３を備えず、通知信号１０９を合成通知信号１１１の代わりに制御部１０１へ出力するようにしてもよい。この場合であっても、省配線を除くその他の効果は、制御部１０１が、ＯＲ回路１０３から出力された合成通知信号１１１に基づき異常の判定を行った場合と同様に得られる。
【０１０２】
また、基準信号、通知信号、及び合成通知信号に含まれるパルスとしてハイ側のパルスを用い、そのパルス幅を設定し、正論理の回路を用いる例を示したが、当該パルスとしてロー側のパルスを用いてそのパルス幅を設定し、負論理の回路を用いるようにしてもよい。
【０１０３】
なお、本実施例において、異常が発生したとき電圧監視部１０２が２倍のパルス幅を含む通知信号を生成するとしたが、例えば、図１１に示すように、基準パルスに加えて各電圧監視部１０２に設定された位置に異常パルスを含む通知信号を生成するとしてもよい。具体的には、以下のようにしてもよい。
【０１０４】
すなわち、通知信号生成部１２１は、電圧異常判定部１２２による異常の検出の有無に関わらず、基準信号１０４をそのまま通知信号１０５として出力絶縁素子１０８へ出力することで、パルス幅ｔ、周期Ｔの基準パルスを生成する。また、通知信号生成部１２１は、電圧異常判定部１２２が異常を検出したとき、例えば検知信号Ｅｒｒがハイレベルのとき、上記基準パルスとは異なるタイミングで、例えばパルス幅ｔの異常パルスを出力する。
【０１０５】
このような構成によっても、制御部１０１は、異常が発生したとき電圧監視部１０２が２倍のパルス幅を含む通知信号を生成する場合と同様に、合成通知信号１１１に、基準パルスとは異なるタイミングにパルスが含まれていたときにこれを異常パルスとして電池異常検知信号Ｅｂをセットすることができる。従って、制御部１０１は、電池ブロック１０６の異常や、上述のような故障、断線の発生を判定することができる。
【０１０６】
さらに、電圧監視部１０２−１，１０２−２，１０２−３が備える各通知信号生成部１２１の、異常パルスの出力タイミングを互いに異なるタイミングになるように、予め設定することが望ましい。そして、制御部１０１が、２つの基準パルスの間に含まれる異常パルスの数を計数することによって、異常が生じた電池ブロック１０６の数を計数することができる。また、制御部１０１が、当該異常パルスが含まれていたタイミングが設定された通信信号生成部１２１と対応する電池ブロック１０６に異常が生じていると判定することで、異常が生じた電池ブロック１０６を特定することができる。
【０１０７】
図１１は、全ての通知信号１０５が異常パルスを含む、つまり、全ての二次電池１０６が異常になっている例を示している。
【産業上の利用可能性】
【０１０８】
本発明に係る異常検出回路、及び電源装置は、電気自動車やハイブリッドカー等の車両だけでなく、住宅用の発電設備、無停電電源装置等の電池搭載装置、携帯型パーソナルコンピュータやデジタルカメラ、ビデオカメラ、携帯電話機等の電子機器、ハイブリッドエレベータ、太陽電池や発電装置と二次電池とを組み合わされた電源システム、などにおいても、好適に利用することができる。
【符号の説明】
【０１０９】
１  異常検出回路
１０１  制御部
１０１ａ  基準信号生成部
１０２  電圧監視部
１０３  ＯＲ回路
１０４，１１０  基準信号
１０５，１０９  通知信号
１０６  電池ブロック
１０７  入力絶縁素子
１０８  出力絶縁素子
１１１  合成通知信号
１１２  素電池
１１３  電源装置
１２１  通知信号生成部
１２２  電圧異常判定部
Ａ１  論理ゲート
ＣＴ  カウンタ
ＥＯＲ  排他的論理和ゲート
ＦＦ１，ＦＦ２  フリップフロップ
ＭＵＸ  マルチプレクサ
ＯＳＣ  発振器
Ｔ  周期
ｔ  パルス幅
ＣＬＫ  クロック信号
Ｅｂ  電池異常検知信号
Ｅｒｒ  検知信号
Ｅｗ  エラー信号
【図１】
2011247760.tif 000003
【図２】
2011247760.tif 000004
【図３】
2011247760.tif 000005
【図４】
2011247760.tif 000006
【図５】
2011247760.tif 000007
【図６】
2011247760.tif 000008
【図７】
2011247760.tif 000009
【図８】
2011247760.tif 000010
【図９】
2011247760.tif 000011
【図１０】
2011247760.tif 000012
【図１１】
2011247760.tif 000013